(57)【要約】【課題】  屋根勾配の急な場合、屋根上の雪は滑落して軒先に設けた融雪パネルＡを飛び越えて落下するという危険があった。また、融雪パネルＡ上の雪が溶けて空焚きとなり、パネルＡの取付け金具より上部から棟までに滞雪してこの雪の雪おろしが必要となる不便があった。【解決手段】  本考案は従来からの雪止め用の融雪パネルＡの上に更に雪止め具を設けることによって、軒端に設けた融雪パネルＡを越えて雪の落下を防ぎ、また融雪パネルＡの空焚きを防止するという作用効果を期待できる。【選択図】    図１
0003122032.tif 000002
【実用新案登録請求の範囲】
【請求項１】
軒先に設ける融雪パネルＡを支持する固定金具（１）の軒端側最先上部にＬ字形で長尺の雪止めアングル（５）を係止する突起部（３）を設けることを特徴とした屋根軒先雪止め構造。
【請求項２】
軒先に設ける融雪パネルＡを支持する固定金具（１）の上辺に軒端に向けて支持杆（４）を２又にして設け、この支持杆（４）の先端に山形の雪止め片（６）を装着したことを特徴とする屋根軒先雪止め構造。
【考案の詳細な説明】
【技術分野】
【０００１】
本考案は、軒先融雪パネルＡの上方に更に雪止めアングルを設けた融雪屋根の改良に関する。
【背景技術】
【０００２】
雪国での屋根の雪は、雪が降れば雪が積り、雪が止めば気温が上がり雪は溶け出し、また夜気温が下がれば氷結するこの繰返しであって、屋根上の雪は軒先方向に移動する傾向にある。
【０００３】
このため軒先には氷塊やつららが生じて落雪し、屋根構造物や人的被害を与える原因となっている。したがって屋根の消雪・融雪は主に軒先部分が対象となっている。
【特許文献１】特開２００２−２１３１０７号公報
【考案の開示】
【考案が解決しようとする課題】
【０００４】
この屋根上の雪は気温の上昇や屋根勾配の急な場合、滑落して軒先に設置してある融雪パネルＡを飛び越して落雪することがあり危険を生じている。また融雪パネル上の雪が溶けてパネルが空焚き状態となって、パネル取付け金具より上部から棟までに滞雪してこの部分の雪おろしをする必要が生じるという不便があった。
【課題を解決するための手段】
【０００５】
考案者はこのような事故や不便さに対して研究を続けた結果本考案を完成したものであって、本考案は融雪パネルＡの上に更に雪止め具（５）を設けることによって融雪パネルを越えて飛び出す雪を防ぐと共に、雪を融雪パネルＡ上に保留させることによって融雪パネルＡの通電による空焚きを防止することに成功した。
【０００６】
この雪止め具としては添付図面４図以下に示すように融雪パネルＡの取付け金具（１）上の軒端側に断面Ｌ字形のアングル材（５）を設けることによって雪の飛び出しを防止することができる。また更にはアングル材（５）によって雪が融雪パネルＡ上に残るため融雪パネルＡの空焚きを防止することができる。
【考案の効果】
【０００７】
上述のように本考案の屋根軒先雪止め構造は、融雪パネルＡの上に更に雪止めアングル材を設けることによって、急勾配の屋根上の雪の落雪による飛び出しや、融雪パネルの空焚きを防止できるという使用上の作用効果を奏する。
【考案を実施するための最良の形態】
【０００８】
添付図面による本考案を実施するための最良の形態を説明すると、図１は本考案の改良された融雪パネルＡを使用した屋根軒先の積雪状態を示した実施例図であり、図２，図３は従来の融雪パネルＡを使用した比較のために示した実施例図である。
【０００９】
図４は、本考案の雪止めアングル（５）を装着した融雪パネル支持金具（１）の側面図であって、軒先端の上部に突起（３）を設け、この突起（３）に長尺の断面Ｌ字形の雪止めアングル（５）を挿通する。
【００１０】
この支持金具（１）上の突起（３）は、図５，図６に示しているように三角形でも四角形でも或は他の形状であってもよいが、Ｌ字形の雪止めアングル（５）が挿入して係止できる空間（８）が形成されていればよく、いずれの形状であっても特に限定していない。
【００１１】
図７は別の雪止め装置であって、長尺の雪止めアングルではなく、雪止め片（８）を取付けたものであり、図８は軒端側から見た正面図であって、この形状の融雪パネルの支持金具であっても図１に示している雪止めと同様の効果を奏する。
【実施例】
【００１２】
図１は本考案の融雪パネルＡを固定して支持する支持金具（１）であって、積雪時の実施例図を示し、従来の融雪パネルＡを固定する支持金具（１）の軒端側にＬ字形の雪止めアングル（５）を係止するための突起部（３）が設けられていて、図示していないが、軒端長手方向に一定間隔で設けてあり、図示のように雪は雪止めアングル（５）によって軒端からの落下や急勾配の屋根であっても雪の飛び出しを防げる。
【００１３】
図２，図３は従来の融雪パネルＡ支持金具（１）による積雪の状態を表わした比較例図であって、図２は軒端からの雪の落下を示し、図３は別な平板状の融雪パネルＡを使用した実施例図であり、この場合は積雪の降下が融雪パネルＡの隅部に止り降下がなく、融雪パネルＡ上の雪は無くなりパネルＡは空焚き状態となり、また屋根上の雪は滞止したままその量を増して、いずれは融雪パネルＡの上方から棟にかけて雪下しをする羽目になる。
【００１４】
図４は融雪パネルＡの本考案の支持金具（１）の側面図であって、図
示されるように軒端側の上部に突起（３）を設けるものであって、図示していないが、屋根の軒に設けた融雪パネルＡを包持して一定間隔を置いて配置されている。図中の（５）はＬ字形の雪止めアングルを示している。また（９）は屋根取付部金具位置を示している。
【００１５】
図５，図６，図７，図８は支持金具（１）に設けた突起部（３）の形状を示している。図５は図１の実施例に示されている三角形の突起であり、図６は四角形の突起（３）であるが、いずれにしてもＬ字形の雪止めアングル（５）が挿入され係止できる空間（８）が形成されるように構成されている。図７，図８は屋根の棟方向から軒先に向けてＬ字形のアングルを突起部に設けた溝で受け止め係止する構成である。
【００１６】
図９，図１０は別な雪止め金具（６）を用いた実施例であって、融雪パネル支持金具（１）の上辺に、図中の符号（７）を支点とした枝杆（４）を分出させて、この先端に山形の雪止め片（６）を設ける構造であって、前記図４以下に記載するＬ字形の雪止めアングル（５）に代えて使用されるものであるが、同様の雪止め効果を奏する。図７は支持金具（１）の側面図、図８は雪止め片（６）側からの正面図である。
【産業上の利用可能性】
【００１７】
本考案は、雪国地方において、屋根の積雪に対しての対策として、一層効果を図るため、本考案の利用価値はきわめて大きいものと期待する。
【図面の簡単な説明】
【００１８】
【図１】本考案の使用の形態を表わす実施例図
【図２】従来の比較例図
【図３】別の従来の比較例図
【図４】本考案の融雪パネル支持金具の側面図
【図５】雪止めアングル挿入突起の形状図
【図６】別の突起部の形状図
【図７】別の突起部の形状図
【図８】別の突起部の形状図
【図９】請求項２に示す雪止め片の形態図
【図１０】雪止め片の正面図
【符号の説明】
【００１９】
１  融雪パネルＡ支持金具
３  突起部
４  枝杆
５  雪止めアングル
６  雪止め片
７  支点
８  Ｌ字形アングル挿入空間
９  屋根取付部金具位置
【図１】
0003122032.tif 000003
【図２】
0003122032.tif 000004
【図３】
0003122032.tif 000005
【図４】
0003122032.tif 000006
【図５】
0003122032.tif 000007
【図６】
0003122032.tif 000008
【図７】
0003122032.tif 000009
【図８】
0003122032.tif 000010
【図９】
0003122032.tif 000011
【図１０】
0003122032.tif 000012